(57)【特許請求の範囲】
【請求項１】
楽曲構造を特徴づける特徴区間が割り付けられた楽曲データに基づいて、照明装置を制御する照明制御装置であって、
前記楽曲データ中の特徴区間の展開情報を取得する展開情報取得部と、
前記楽曲データ中のいずれかの特徴区間を解析し、小節の進行とともにノートが細分されていくノート細分変化区間を検出するノート細分変化区間解析部と、
前記展開情報取得部で取得された展開情報、および前記ノート細分変化区間解析部で検出されたノート細分変化区間に基づいて、照明制御データを生成する照明制御データ生成部と、を備えていることを特徴とする照明制御装置。
【請求項２】
請求項１に記載の照明制御装置において、
前記照明制御データ生成部は、検出されたノート細分変化区間の開始点を、照明演出の変化点とすることを特徴とする照明制御装置。
【請求項３】
楽曲構造を特徴づける特徴区間が割り付けられた楽曲データに基づいて、照明装置を制御する照明制御装置であって、
前記楽曲データ中の特徴区間の展開情報を取得する展開情報取得部と、
前記楽曲データ中のいずれかの特徴区間を解析し、所定の周波数以下の信号の単位時間当たりの積算振幅レベルが所定の範囲内であり、所定の周波数を超える信号の単位時間当たりの積算振幅レベルが小節の進行とともに増加するレベル変化区間を検出するレベル変化区間解析部と、
前記展開情報取得部で取得された展開情報、および前記レベル変化区間解析部で検出されたレベル変化区間に基づいて、照明制御データを生成する照明制御データ生成部と、を備えていることを特徴とする照明制御装置。
【請求項４】
請求項３に記載の照明制御装置において、
前記照明制御データ生成部は、検出されたレベル変化区間の開始点を、照明演出の変化点とすることを特徴とする照明制御装置。
【請求項５】
楽曲構造を特徴づける特徴区間が割り付けられた楽曲データに基づいて、照明装置を制御する照明制御装置であって、
前記楽曲データ中の特徴区間の展開情報を取得する展開情報取得部と、
前記楽曲データ中のいずれかの特徴区間を解析し、拍単位で検出される信号のピークレベルが変化するフィルイン区間を検出するフィルイン区間解析部と、
前記展開情報取得部で取得された展開情報、および前記フィルイン区間解析部で検出されたフィルイン区間に基づいて、照明制御データを生成する照明制御データ生成部と、を備えていることを特徴とする照明制御装置。
【請求項６】
請求項５に記載の照明制御装置において、
前記照明制御データ生成部は、検出されたフィルイン区間の開始点を、照明演出の変化点とすることを特徴とする照明制御装置。
【請求項７】
楽曲構造を特徴づける特徴区間が割り付けられた楽曲データに基づいて、照明装置を制御する照明制御方法であって、
前記楽曲データ中の特徴区間の展開情報を取得する手順と、
前記楽曲データ中のいずれかの特徴区間を解析し、小節の進行とともにノートが細分されていくノート細分変化区間を検出する手順と、
取得された展開情報、および検出されたノート細分変化区間に基づいて、照明制御データを生成する手順と、を実施することを特徴とする照明制御方法。
【請求項８】
楽曲構造を特徴づける特徴区間が割り付けられた楽曲データに基づいて、照明装置を制御する照明制御方法であって、
前記楽曲データ中の特徴区間の展開情報を取得する手順と、
前記楽曲データ中のいずれかの特徴区間を解析し、所定の周波数以下の信号の単位時間当たりの積算振幅レベルが所定の範囲内であり、所定の周波数を超える信号の単位時間当たりの積算振幅レベルが、小節の進行とともに増加するレベル変化区間を検出する手順と、
取得された展開情報、および検出されたレベル変化区間に基づいて、照明制御データを生成する手順と、を実施することを特徴とする照明制御方法。
【請求項９】
楽曲構造を特徴づける特徴区間が割り付けられた楽曲データに基づいて、照明装置を制御する照明制御方法であって、
前記楽曲データ中の特徴区間の展開情報を取得する手順と、
前記楽曲データ中のいずれかの特徴区間を解析し、拍単位で検出される信号のピークレベルが変化するフィルイン区間を検出する手順と、
取得された展開情報、および検出されたフィルイン区間に基づいて、照明制御データを生成する手順と、を実施することを特徴とする照明制御方法。
【請求項１０】
コンピュータを、請求項１から請求項６のいずれか一項に記載の照明制御装置として機能させることを特徴とする照明制御プログラム。
【発明の詳細な説明】
【技術分野】
【０００１】
本発明は、照明制御装置、照明制御方法、および照明制御プログラムに関する。
【背景技術】
【０００２】
コンサートやクラブシーンにおいて、音楽に対応した照明または楽曲に同期して照明を変化させることは、演出効果上重要である。
楽曲に対応した照明を用いた緻密な演出効果を得るためには、楽曲を理解した専属の照明スタッフが操作することが望ましい。しかし、小規模なコンサートやクラブ、イベント等では、費用の都合などから、専属の照明スタッフを常駐させることは困難である。【０００３】
これに対して、従来楽曲に対応した照明操作の自動化が提案されている。たとえば、特許文献１、特許文献２に記載の技術は、楽曲に対応した照明内容に関する照明制御データを予め作成しておき、楽曲の演奏時に楽曲と同期して、照明制御データ基づき照明を制御することにより、楽曲に対応した所望の照明演出効果を実現している。
照明制御データの作成にあたっては、演奏対象となる楽曲データに対して、予め楽曲構造の解析を行い、楽曲構造を特徴づける特徴区間（例えば、Ａメロ、Ｂメロ、サビなど）を割り付け、各特徴区間のイメージに適した照明パターンを指定して、照明を行う。
【先行技術文献】
【特許文献】
【０００４】
【特許文献１】特許第３７４３０７９号公報
【特許文献２】特開２０１０−１９２１５５号公報
【発明の概要】
【発明が解決しようとする課題】
【０００５】
しかしながら、前記特許文献１および特許文献２に開示された技術では、特徴区間に応じた照明パターンによって照明が行われるだけであり、演奏中の特徴区間から、次の特徴区間に展開する際に、次の特徴区間を予見させ、高揚感が持てるような演出効果をすることはできないという課題がある。例えば、サビ区間前のＢメロ区間演奏中に、そろそろサビ区間が到来するといった高揚感を持たせる照明を行うことは困難である。【０００６】
本発明の目的は、特徴区間の展開に際して、次の特徴区間の到来を予見させ、高揚感を持たせることのできる、照明制御装置、照明制御方法、および照明制御プログラムを提供することにある。
【課題を解決するための手段】
【０００７】
本発明の照明制御装置は、楽曲構造を特徴づける特徴区間が割り付けられた楽曲データに基づいて、照明装置を制御する照明制御装置であって、
前記楽曲データ中の特徴区間の展開情報を取得する展開情報取得部と、
前記楽曲データ中のいずれかの特徴区間を解析し、小節の進行とともにノートが細分されていくノート細分変化区間を検出するノート細分変化区間解析部と、
前記展開情報取得部で取得された展開情報、および前記ノート細分変化区間解析部で検出されたノート細分変化区間に基づいて、照明制御データを生成する照明制御データ生成部と、を備えていることを特徴とする。【０００８】
本発明の照明制御装置は、楽曲構造を特徴づける特徴区間が割り付けられた楽曲データに基づいて、照明装置を制御する照明制御装置であって、
前記楽曲データ中の特徴区間の展開情報を取得する展開情報取得部と、
前記楽曲データ中のいずれかの特徴区間を解析し、所定の周波数以下の信号の単位時間当たりの積算振幅レベルが所定の範囲内であり、所定の周波数を超える信号の単位時間当たりの積算振幅レベルが小節の進行とともに増加するレベル変化区間を検出するレベル変化区間解析部と、
前記展開情報取得部で取得された展開情報、および前記レベル変化区間解析部で検出されたレベル変化区間に基づいて、照明制御データを生成する照明制御データ生成部と、を備えていることを特徴とする。【０００９】
本発明の照明制御装置は、楽曲構造を特徴づける特徴区間が割り付けられた楽曲データに基づいて、照明装置を制御する照明制御装置であって、
前記楽曲データ中の特徴区間の展開情報を取得する展開情報取得部と、
前記楽曲データ中のいずれかの特徴区間を解析し、拍単位で検出される信号のピークレベルが変化するフィルイン区間を検出するフィルイン区間解析部と、
前記展開情報取得部で取得された展開情報、および前記フィルイン区間解析部で検出されたフィルイン区間に基づいて、照明制御データを生成する照明データ生成部と、を備えていることを特徴とする。【００１０】
本発明の照明制御方法は、楽曲構造を特徴づける特徴区間が割り付けられた楽曲データに基づいて、照明装置を制御する照明制御方法であって、
前記楽曲データ中の特徴区間の展開情報を取得する手順と、
前記楽曲データ中のいずれかの特徴区間を解析し、小節の進行とともにノートが細分されていくノート細分変化区間を検出する手順と、
取得された展開情報、および検出されたノート細分変化区間に基づいて、照明制御データを生成する手順と、を実施することを特徴とする。【００１１】
本発明の照明制御方法は、楽曲構造を特徴づける特徴区間が割り付けられた楽曲データに基づいて、照明装置を制御する照明制御方法であって、
前記楽曲データ中の特徴区間の展開情報を取得する手順と、
前記楽曲データ中のいずれかの特徴区間を解析し、所定の周波数以下の信号の単位時間当たりの積算振幅レベルが所定の範囲内であり、所定の周波数を超える信号の単位時間当たりの積算振幅レベルが、小節の進行とともに増加するレベル変化区間を検出する手順と、
取得された展開情報、および検出されたレベル変化区間に基づいて、照明制御データを生成する手順と、を実施することを特徴とする。【００１２】
本発明の照明制御方法は、楽曲構造を特徴づける特徴区間が割り付けられた楽曲データに基づいて、照明装置を制御する照明制御方法であって、
前記楽曲データ中の特徴区間の展開情報を取得する手順と、
前記楽曲データ中のいずれかの特徴区間を解析し、拍単位で検出される信号のピークレベルが変化するフィルイン区間を検出する手順と、
取得された展開情報、および検出されたフィルイン区間に基づいて、照明制御データを生成する手順と、を実施することを特徴とする。【００１３】
本発明の照明制御プログラムは、コンピュータを、前述した照明制御装置として機能させることを特徴とする。
【図面の簡単な説明】
【００１４】
【図１】本発明の実施形態に係る音響制御システムおよび照明システムの構成を表すブロック図。
【図２】前記実施形態における音響制御システムおよび照明システムの構成を表すブロック図。
【図３】前記実施形態におけるノート細分変化区間解析部の構成を表すブロック図。
【図４】前記実施形態におけるノート細分変化区間解析部の作用を表すフローチャート。
【図５】前記実施形態におけるリズム解析結果の状態を表す模式図。
【図６】前記実施形態におけるノート細分変化区間の判定方法を説明するための模式図。
【図７】前記実施形態におけるレベル変化区間解析部の構成を表すブロック図。
【図８】前記実施形態におけるレベル変化区間解析部の作用を表すフローチャート。
【図９】前記実施形態におけるレベル変化区間の判定方法を説明するためのグラフ。
【図１０】前記実施形態におけるレベル変化区間の判定方法を説明するためのグラフ。
【図１１】前記実施形態におけるレベル変化区間の判定方法を説明するためのグラフ。
【図１２】前記実施形態におけるレベル変化区間の判定方法を説明するためのグラフ。
【図１３】前記実施形態におけるフィルイン区間解析部の構成を表すブロック図。
【図１４】前記実施形態におけるフィルイン区間解析部の作用を表すフローチャート。
【図１５】前記実施形態におけるフィルイン区間の判定方法を説明するためのグラフ。
【図１６】前記実施形態におけるフィルイン区間の判定方法を説明するためのグラフ。
【図１７】前記実施形態におけるフィルイン区間の判定方法を説明するためのグラフ。
【図１８】前記実施形態におけるフィルイン区間の判定方法を説明するためのグラフ。
【図１９】前記実施形態における楽曲データの特徴区間、照明イメージ、照明制御データの関係を表す模式図。
【発明を実施するための形態】
【００１５】
［１］音響制御システム１および照明システム１０の全体構成
図１には、本発明の実施形態に係る音響制御システム１および照明システム１０が示されており、音響制御システム１は、２台のデジタルプレーヤー２と、デジタルミキサー３と、コンピュータ４と、スピーカー５とを備える。
デジタルプレーヤー２は、ジョグダイヤル２Ａと、図示しない複数の操作ボタンと、ディスプレイ２Ｂとを備え、デジタルプレーヤー２の操作者は、ジョグダイヤル２Ａや、操作ボタンを操作することにより、操作に応じた音響制御情報を出力することができる。音響制御情報は、双方向通信可能なＵＳＢ（Universal Serial Bus）ケーブル６を介してコンピュータ４に出力される。
【００１６】
デジタルミキサー３は、操作スイッチ３Ａと、音量調整レバー３Ｂと、左右切替レバー３Ｃとを備え、これらのスイッチ３Ａ、レバー３Ｂ、３Ｃを操作することにより、音響制御情報を出力することができる。音響制御情報は、ＵＳＢケーブル７を介してコンピュータ４に出力される。また、デジタルミキサー３には、コンピュータ４で処理された楽曲情報が入力され、入力されたデジタル信号からなる楽曲情報は、アナログ信号に変換され、アナログケーブル８を介して、スピーカー５から音声出力される。
また、デジタルプレーヤー２およびデジタルミキサー３は、ＩＥＥＥ１３９４規格に準拠したＬＡＮ（Local Area Network）ケーブル９を介して互いに接続され、コンピュータ４を使わなくとも、デジタルプレーヤー２を操作して生成された音響制御情報を、直接デジタルミキサー３に出力して、ＤＪパフォーマンスを行うこともできる。
【００１７】
照明システム１０は、音響制御システム１のコンピュータ４とＵＳＢケーブル１１を介して接続されるコンピュータ１２と、コンピュータ１２によって制御される照明装置１３とを備える。
照明装置１３は、ライブスペース内やイベントスペース内の照明を行うものであり、ライブ設備として多用される各種の照明器具１３Ａを備えている。
照明器具１３Ａは、舞台照明に多用される、例えばパーライト、ストロボライト、ムービングヘッドなどである。これらの照明器具１３Ａにおいては、それぞれ投光の断続、明るさのほか、器具によって照射方向、動作速度などのパラメータを指定することができる。
【００１８】
これらのパラメータを制御するために、照明装置１３の照明器具１３Ａは、それぞれＤＭＸ５１２規格に準拠するとともに、同規格に基づいて互いに接続され、同規格に準拠した照明制御信号１３Ｂを送信することで、各照明器具１３Ａに所期の照明を実行させることができる。
なお、ＤＭＸ５１２規格は舞台照明分野で一般的な規格であるが、コンピュータ１２および照明装置１３の接続は、同規格によるものに限らず、他の規格に基づくものであってもよい。
【００１９】
［２］音響制御システム１および照明システム１０の機能ブロック構成
図２には、本実施形態に係る音響制御システム１および照明システム１０の機能ブロック図が示されている。
音響制御システム１のコンピュータ４は、コンピュータ４の演算処理装置１４上で実行されるコンピュータプログラムとしての楽曲データ解析部１５、および展開情報出力部１６を備える。
楽曲データ解析部１５は、入力される楽曲データＭ１を解析し、楽曲データＭ１に楽曲構造を特徴づける特徴区間を割り付ける。割り付けられる特徴区間としては、たとえば、イントロ区間（Intro）、Ａメロ区間（Verse1）、Ｂメロ区間（Verse2）、サビ区間（Hook）、Ｃメロ区間（Verse3）、アウトロ区間（Outro）等が挙げられる。
【００２０】
楽曲データＭ１の解析は、種々の方法を採用することができ、たとえば、楽曲データＭ１を小節毎にＦＦＴ（Fast Fourier Transform）を行い、小節単位で音の数をカウントして、特徴区間の展開が変化する展開ポイントを設定し、音の数の大小に基づいて、展開ポイント間に特徴区間を割り付ける方法を採用することができる。また、他の方法としては、楽曲データ中のメロディ等の類似性に基づいて、特徴区間を割り付ける方法も採用することができる。解析結果は、展開情報出力部１６に出力される。
展開情報出力部１６は、楽曲データ解析部１５によって解析された特徴区間を、楽曲データＭ１に割り付け、割り付け済みの楽曲データＭ２として、照明システム１０を構成するコンピュータ１２にＵＳＢケーブル１１を介して出力する。
【００２１】
［３］照明制御装置の機能ブロック構成および作用
照明制御装置としてのコンピュータ１２は、演算処理装置２０上で実行される照明制御プログラムとしての展開情報取得部２１、ノート細分変化区間解析部２２、レベル変化区間解析部２３、フィルイン区間解析部２４、照明制御データ生成部２５、および照明制御部２６を備える。
展開情報取得部２１は、コンピュータ４から出力された特徴区間を割り付け済みの楽曲データＭ２に基づいて、楽曲データＭ２の特徴区間の展開情報を取得する。取得された特徴区間の展開情報は、ノート細分変化区間解析部２２、レベル変化区間解析部２３、フィルイン区間解析部２４、および照明制御データ生成部２５に出力される。
【００２２】
ノート細分変化区間解析部２２は、楽曲データＭ２に割り付けられた特徴区間のうち、サビ区間前のイントロ区間からＡメロ区間、Ｂメロ区間において、小節の進行とともに、楽曲データＭ２のノート間隔が細分化し、特徴区間中の高揚感を生じさせる区間を検出する。ノート細分変化区間解析部２２は、図３に示されるように、リズムパターン解析部２２Ａおよびノート細分変化区間判定部２２Ｂを備える。
リズムパターン解析部２２Ａは、特徴区間を構成する小節内の打叩数を取得することにより、小節内のノート数の増加を検出する。たとえば、１小節が４分音符の４打から８分音符の８打に変化した状態や、１６分音符の１６打に変化した状態を検出する。
【００２３】
リズムパターン解析部２２Ａには、図４のフローチャートに示されるように、楽曲データＭ２が入力される（手順Ｓ１）。
次に、リズムパターン解析部２２Ａは、楽曲データＭ２のＬＰＦ（Low Pass Filter）によるフィルタ処理を行い、楽曲データＭ２中のバスドラム、ベース音等の低周波数成分のみを取得する（手順Ｓ２）。さらに、リズムパターン解析部２２Ａは、ＨＰＦ（High Pass Filter）によるフィルタ処理を行って、ノイズ成分を除去するとともに（手順Ｓ３）、絶対値演算を行うことにより全波整流を行う（手順Ｓ４）。
リズムパターン解析部２２Ａは、２段階目のＬＰＦによるフィルタ処理を行い、信号レベルの平滑化処理を行う（手順Ｓ５）。
【００２４】
リズムパターン解析部２２Ａは、平滑化処理が行われた信号の微分値を演算して、低周波数成分のアタックを検出する（手順Ｓ６）。
リズムパターン解析部２２Ａは、低周波数成分のアタックに基づいて、１６分音符の分解能で発音の有無を判定する（手順Ｓ７）。具体的には、リズムパターン解析部２２Ａは、図５に示されるように、アタック音の有無（アタック有１／無０）で判定する。
発音の有無の判定を行ったら、リズムパターン解析部２２Ａは、判定結果を打叩有無情報として、ノート細分変化区間判定部２２Ｂに出力する（手順Ｓ８）。
【００２５】
ノート細分変化区間判定部２２Ｂは、リズムパターン解析部２２Ａで判定された打叩有無情報に基づいて、特徴区間中のノート細分変化区間を判定する（手順Ｓ９）。具体的には、図６に示されるように、ノート細分変化区間判定部２２Ｂは、４分音符、８分音符、１６分音符のリファレンスデータを記憶しており、小節単位で入力される打叩データがリファレンスデータに一致するかどうかでマッチングを行う。
【００２６】
ノート細分変化区間判定部２２Ｂは、特徴区間中のすべての小節について、リファレンスデータとのマッチングを行う（手順Ｓ１０）。
次に、ノート細分変化区間判定部２２Ｂは、マッチングの結果に基づいて、当該特徴区間がノート細分変化区間であるか否かを判定する（手順Ｓ１１）。
さらに、ノート細分変化区間判定部２２Ｂは、ノート細分変化区間であると判定されたら、ノート細分変化区間であると設定し（手順Ｓ１２）、照明制御データ生成部２５は、ノート細分変化区間に応じた照明制御データを生成する（手順Ｓ１３）。
【００２７】
レベル変化区間解析部２３は、特徴区間が割り付け済みの楽曲データＭ２のうち、スイープ音、高周波ノイズが増加する部分を、緊張感が増加する区間として検出し、当該区間をレベル変化区間として検出する。
レベル変化区間解析部２３は、図７に示されるように、中低域レベル積算部２３Ａ、中高域レベル積算部２３Ｂ、およびレベル変化区間判定部２３Ｃを備える。
【００２８】
中低域レベル積算部２３Ａは、楽曲データＭ２中のスイープ音、高周波ノイズについて、所定の周波数、たとえば５００Ｈｚ以下の信号の振幅レベルを検出し、その積算値を取得する。
中高域レベル積算部２３Ｂは、楽曲データＭ２中のスイープ音、高周波ノイズについて、所定の周波数を超える信号の振幅レベルを検出し、その積算値を取得する。
レベル変化区間判定部２３Ｃは、中低域レベル積算部２３Ａの検出結果、中高域レベル積算部２３Ｂの検出結果に基づいて、検出対象となる特徴区間がレベル変化区間であるか否かを判定する。
具体的には、レベル変化区間判定部２３Ｃは、所定の周波数以下の信号の単位時間当たりの積算振幅レベルが所定の範囲内であり、所定の周波数を超える信号の単位時間当たりの積算振幅レベルが小節の進行とともに増加する場合、レベル変化区間であると判定する。
【００２９】
中低域レベル積算部２３Ａ、中高域レベル積算部２３Ｂ、およびレベル変化区間判定部２３Ｃは、図８に示されるフローチャートに基づいて、レベル変化区間の検出を行う。
特徴区間が割り付け済みの楽曲データＭ２が入力されたら（手順Ｓ１４）、中低域レベル積算部２３Ａは、ＬＰＦ処理を行う（手順Ｓ１５）。
中低域レベル積算部２３Ａは、ＬＰＦ処理が行われた後、絶対値演算を行うことにより全波整流を行い（手順Ｓ１６）、１拍単位毎に信号の振幅レベルを積算していく（手順Ｓ１７）。
中低域レベル積算部２３Ａは、特徴区間のすべてについて、信号の振幅レベルの積算を行い（手順Ｓ１８）、終了したら、図９に示されるように、拍数に応じた信号の振幅レベルの積算値をレベル変化区間判定部２３Ｃに出力する。
【００３０】
中高域レベル積算部２３Ｂは、中低域レベル積算部２３Ａと並行して実行され、特徴区間が割り付け済みの楽曲データＭ２が入力されたら（手順Ｓ１４）、中高域レベル積算部２３Ｂは、ＨＰＦ処理を行う（手順Ｓ１９）。
中高域レベル積算部２３Ｂは、ＨＰＦ処理が行われた後、絶対値演算を行うことにより全波整流を行い（手順Ｓ２０）、１拍単位毎に信号の振幅レベルを積算していく（手順Ｓ２１）。
中高域レベル積算部２３Ｂは、特徴区間のすべてについて、信号の振幅レベルの積算を行い（手順Ｓ２２）、終了したら、図１０に示されるように、拍数に応じた信号の振幅レベルの積算値をレベル変化区間判定部２３Ｃに出力する。
【００３１】
レベル変化区間判定部２３Ｃは、中低域レベル積算部２３Ａから出力された中低域レベル積算値に基づいて、移動平均値を算出する（手順Ｓ２３）とともに、中高域レベル積算部２３Ｂから出力された中高域レベル積算値に基づいて、移動平均値を算出する（手順Ｓ２４）。
レベル変化区間判定部２３Ｃは、それぞれの移動平均値に基づいて、当該特徴区間がレベル変化区間であるか否かを判定する（手順Ｓ２５）。
【００３２】
具体的には、レベル変化区間判定部２３Ｃは、図１１に示されるように、中低域レベル積算値の移動平均が所定の拍数中に所定の範囲内にあり、かつ、中高域レベル積算値の移動平均が同じ拍数中に、所定の範囲の外にはみ出し、かつ、所定の閾値を超えて傾きが大きい場合に、当該特徴区間中にレベル変化区間があると判定する。スイープ音の場合、拍数が進むにしたがって、高周波成分が多くなり、スイープ音と判定できるからであり、高周波ノイズの場合、しだいに大きくなることにより、中高域レベルの音量が大きくなり、緊張感ある変化となるからである。
【００３３】
一方、レベル変化区間判定部２３Ｃは、図１２に示されるように、中低域レベル積算値の移動平均、および中高域レベル積算値の移動平均が所定の範囲内で変化している場合には、当該特徴区間中には、レベル変化区間が含まれないと判定する。
レベル変化区間判定部２３Ｃは、レベル変化区間であると判定されたら、レベル変化区間であると設定し、照明制御データ生成部２５は、レベル変化区間に応じた照明制御データを生成する（手順Ｓ２６）。
【００３４】
フィルイン区間解析部２４は、特徴区間が割り付け済みの楽曲データＭ２のうち、バスドラム、ベース音の一定時間の停止や、スネアドラム、タムの連続打等のフィルインが行われる区間を、サビ区間に移行する前兆の区間として検出し、拍単位でフィルイン区間として検出する。
フィルイン区間解析部２４は、図１３に示されるように、拍単位低音ピークレベル検出部２４Ａ、１／４拍単位低音ピークレベル検出部２４Ｂ、およびフィルイン区間判定部２４Ｃを備える。
【００３５】
拍単位低音ピークレベル検出部２４Ａは、楽曲データＭ２の最初の拍位置を起点として、１拍単位で低音の信号のピークレベルを検出し、バスドラム、ベースなどによる信号のピークレベルが変化するフィルイン区間を拍単位で検出する。たとえば、拍単位低音ピークレベル検出部２４Ａは、バスドラ音、ベース音が一時的に止まったような場合をフィルイン区間として検出する。
１／４拍単位低音ピークレベル検出部２４Ｂは、楽曲データＭ２の最初の拍位置を起点として、１／４拍単位で低音の信号のピークレベルを検出し、スネアドラム、タム等のフィルイン区間を拍単位の位置で検出する。たとえば、１／４拍単位低音ピークレベル検出部２４Ｂは、スネアドラム、タムが一時的に多く打たれるような場合をフィルイン区間として検出する。
フィルイン区間判定部２４Ｃは、拍単位低音ピークレベル検出部２４Ａおよび１／４拍単位低音ピークレベル検出部２４Ｂのフィルイン区間の検出結果に基づいて、当該区間がフィルイン区間であるか否かを判定する。
【００３６】
具体的には、拍単位低音ピークレベル検出部２４Ａ、１／４拍単位低音ピークレベル検出部２４Ｂ、およびフィルイン区間判定部２４Ｃは、図１４に示されるフローチャートに基づいて、フィルイン区間の検出を行う。
特徴区間が割り付け済みの楽曲データＭ２が入力されたら（手順Ｓ２７）、拍単位低音ピークレベル検出部２４Ａは、ＬＰＦ処理を行う（手順Ｓ２８）。
拍単位低音ピークレベル検出部２４Ａは、信号レベルの絶対値演算を行うことにより全波整流を行い（手順Ｓ２９）、信号レベルの平滑化処理を行う（手順Ｓ３０）。
拍単位低音ピークレベル検出部２４Ａは、平滑化処理された信号レベルから、拍単位で低音のピークレベルを検出し（手順Ｓ３１）、これを１小節が終了するまで繰り返す（手順Ｓ３２）。
１小節分の信号レベル検出が終了したら、拍単位低音ピークレベル検出部２４Ａは、小節単位で拍単位低音ピークレベルの平均値を算出し（手順Ｓ３３）、フィルイン区間判定部２４Ｃに出力する。
【００３７】
１／４拍単位低音ピークレベル検出部２４Ｂによる処理は、拍単位低音ピークレベル検出部２４Ａと並行して実施され、特徴区間が割り付け済みの楽曲データＭ２が入力されたら（手順Ｓ２７）、１／４拍単位低音ピークレベル検出部２４Ｂは、ＬＰＦ処理を行う（手順Ｓ３４）。
１／４拍単位低音ピークレベル検出部２４Ｂは、信号レベルの絶対値演算を行うことにより全波整流を行い（手順Ｓ３５）、信号レベルの平滑化処理を行う（手順Ｓ３６）。
１／４拍単位低音ピークレベル検出部２４Ｂは、平滑化処理された信号レベルから、１／４拍単位で低音のピークレベルを検出し（手順Ｓ３７）、これを１小節が終了するまで繰り返す（手順Ｓ３８）。
１小節分の信号レベル検出が終了したら、１／４拍単位低音ピークレベル検出部２４Ｂは、小節単位で１／４拍単位低音ピークレベルの平均値を算出し（手順Ｓ３９）、フィルイン区間判定部２４Ｃに出力する。
【００３８】
フィルイン区間判定部２４Ｃは、拍単位低音ピークレベル検出部２４Ａから出力された拍単位低音ピークレベルの平均値、および１／４拍単位低音ピークレベル検出部２４Ｂから出力された１／４拍単位低音ピークレベルの平均値に基づいて、フィルイン区間であるか否かの判定を行う（手順Ｓ４０）。
具体的には、フィルイン区間判定部２４Ｃは、以下の条件に適合する場合をフィルイン区間であると判定する。
【００３９】
（条件１）
図１５に示されるように、検出対象区間の最後の４小節の拍単位低音ピークレベル平均値に対して、最後の数拍（例えば４拍（１小節））の中で、それ以降の拍単位低音ピークレベル平均値が所定の値Ａ１よりも小さいこと。
（条件２）
図１６に示されるように、検出対象区間の最後の４小節の１／４拍単位低音ピークレベル平均値が所定の範囲内Ｂ１であり、最後の数拍（例えば４拍（１小節））の中で、それ以降の１／４拍単位のピーク低音レベル平均値が所定の値Ａ２よりも小さいこと。
【００４０】
（条件３）
図１７に示されるように、検出対象区間の最後の４小節の１／４拍単位低音ピークレベル平均値が所定の範囲内Ｂ２にあり、最後の数拍（例えば４拍（１小節））の中で、それ以降の１／４拍単位低音ピークレベル平均値が所定の値Ａ３よりも大きいこと。
（条件４）
図１８に示されるように、検出対象区間の最後の手前の拍単位低音ピークレベル平均値が所定の値Ａ４よりも小さく、最後の数拍（例えば４拍（１小節））の中で、それ以降の拍単位低音ピークレベル平均値が所定の値Ａ５よりも大きいこと。
【００４１】
照明制御データ生成部２５は、ノート細分変化区間解析部２２により検出されたノート細分変化区間、レベル変化区間解析部２３により検出されたレベル変化区間、およびフィルイン区間解析部２４により検出されたフィルイン区間に基づいて、照明制御データを生成する。
まず、照明制御データ生成部２５は、図１９に示されるように、特徴区間割付済みの楽曲データＭ２のイントロ区間、Ａメロ区間、Ｂメロ区間、サビ区間等の特徴区間に対して、割り付ける特徴区間に応じた照明制御データＬＤ１を割り付ける。
次に、照明制御データ生成部２５は、検出されたノート細分変化区間、レベル変化区間、フィルイン区間に基づいて、これらの区間が含まれる特徴区間に照明制御データＬＤ２を重畳して割り付ける。
【００４２】
たとえば、ノート細分変化区間であれば、照明制御データ生成部２５は、バスドラムのアタック音における８分音符から１６分音符への変化の開始点を変化点として、１６分音符の打叩に応じて、照明が点滅するような照明演出を行う照明制御データを生成する。
また、レベル変化区間であれば、照明制御データ生成部２５は、スイープ音の上昇や、高周波ノイズの増加に応じて、照明輝度が上昇するような照明演出を行う照明制御データを生成する。
さらに、フィルイン区間であれば、照明制御データ生成部２５は、フィルイン区間の開始点を変化点としてしだいに照明輝度が低下するような照明演出を行う照明制御データを生成する。
なお、以上述べた照明制御データはこれに限られるわけではなく、照明制御データ生成部２５は、楽曲データＭ２の変化に応じて、異なる照明制御データを生成することができる。
【００４３】
照明制御データ生成部２５は、生成した照明制御データを照明制御部２６に出力する。
本実施形態の場合、照明制御データ生成部２５で生成される照明制御データは、照明制御部２６で処理されるＤＭＸコントロールソフトウェア用データとして生成される。なお、本実施形態では、照明制御部２６は、コンピュータ１２内で実行されるＤＭＸコントロールソフトウェアとして構成しているが、コンピュータ１２に接続されたハードウェアコントローラであってもよい。
【００４４】
照明制御部２６は、照明制御データ生成部２５から出力された照明制御データに基づいて、照明装置１３の制御を行うことにより、図１９における照明イメージＬＩの照明を実現することが可能となる。
ここで、Ａメロ区間においては、レベル変化区間で照明イメージＬＩの輝度がしだいに上昇するような演出効果が生じる。また、Ｂメロ区間においては、ノート細分変化区間で照明イメージＬＩがドラムの打叩、ベースの撥弦に応じて、点滅するような演出効果が生じる。さらに、サビ区間では、フィルインの開始とともに、照明イメージＬＩの輝度が次第に低下するような演出効果が生じる。
【００４５】
［４］実施形態の効果
このような本実施形態によれば、ノート細分変化区間解析部２２を備えていることにより、ノート細分変化区間に応じた照明制御を行うことにより、サビ区間前のＢメロ区間の照明制御中に、サビ区間の到来を予見させることができるため、高揚感が持てるような演出効果を行うことができる。
また、レベル変化区間解析部２３を備えていることにより、Ｂメロ区間前のＡメロ区間の照明制御中に、Ｂメロ区間の到来を予見させることができるため、高揚感が持てるような演出効果を行うことができる。
さらに、フィルイン区間解析部２４を備えていることにより、サビ区間の終わりの到来を予見させることができるため、サビ区間の照明制御中に、楽曲の次の展開を予見させることができ、高揚感が持てるような演出効果を行うことができる。
【符号の説明】
【００４６】
１…音響制御システム、２…デジタルプレーヤー、２Ａ…ジョグダイヤル、２Ｂ…ディスプレイ、３…デジタルミキサー、３Ａ…操作スイッチ、３Ｂ…音量調整レバー、３Ｃ…左右切替レバー、４…コンピュータ、５…スピーカー、６…ケーブル、７…ＵＳＢケーブル、８…アナログケーブル、９…ケーブル、１０…照明システム、１１…ＵＳＢケーブル、１２…コンピュータ、１３…照明装置、１３Ａ…照明器具、１３Ｂ…照明制御信号、１４…演算処理装置、１５…楽曲データ解析部、１６…展開情報出力部、２０…演算処理装置、２１…展開情報取得部、２２…ノート細分変化区間解析部、２２Ａ…リズムパターン解析部、２２Ｂ…ノート細分変化区間判定部、２３…レベル変化区間解析部、２３Ａ…中低域レベル積算部、２３Ｂ…中高域レベル積算部、２３Ｃ…レベル変化区間判定部、２４…フィルイン区間解析部、２４Ａ…拍単位低音ピークレベル検出部、２４Ｂ…１／４拍単位低音ピークレベル検出部、２４Ｃ…フィルイン区間判定部、２５…照明制御データ生成部、２６…照明制御部、ＬＤ１…照明制御データ、ＬＤ２…照明制御データ、ＬＩ…照明イメージ、Ｍ１…楽曲データ、Ｍ２…楽曲データ。
【図１】
0006585289.tif 000002
【図２】
0006585289.tif 000003
【図３】
0006585289.tif 000004
【図４】
0006585289.tif 000005
【図５】
0006585289.tif 000006
【図６】
0006585289.tif 000007
【図７】
0006585289.tif 000008
【図８】
0006585289.tif 000009
【図９】
0006585289.tif 000010
【図１０】
0006585289.tif 000011
【図１１】
0006585289.tif 000012
【図１２】
0006585289.tif 000013
【図１３】
0006585289.tif 000014
【図１４】
0006585289.tif 000015
【図１５】
0006585289.tif 000016
【図１６】
0006585289.tif 000017
【図１７】
0006585289.tif 000018
【図１８】
0006585289.tif 000019
【図１９】
0006585289.tif 000020